(57)【要約】【課題】  本発明は、簡易なメッセージを容易に送信し、通信料金の低コスト化を図る携帯情報端末を提供することを目的とする。【解決手段】  本発明に係る携帯電話端末は、大きく分けて、全体の制御等を行う制御装置と、送受信を行う無線装置１２と、アドレス帳を記録する記録装置とを備えて構成され、発信者が着サブアドレス「１２３４」を付加して発信を行った場合、呼設定に設定されている着サブアドレス「１２３４」と、携帯電話端末１内の記録装置１３のサブアドレス−メッセージ関連付け登録部１７にあらかじめ設定された着サブアドレス「１２３４」とが一致することになり、“今から帰宅します”とのメッセージをメッセージ表示部に表示しながら着信を行うことができる。この着信後、即座に自動的に回線の切断を行う。【選択図】  図１
2007005932.tif 000002
【特許請求の範囲】
【請求項１】
サブアドレスを付加して発信する携帯情報端末であって、
前記サブアドレスと文字列を関連付けて登録する登録部を備えた記憶装置と、
他の前記携帯情報端末から着信した前記サブアドレスと前記登録部に記憶されている前記サブアドレスとを比較するサブアドレス検索・比較部を備えた制御装置と、を備え、
前記サブアドレス検索・比較部により、前記着信した前記サブアドレスと前記登録されている前記サブアドレスとを比較し、一致していると判断した場合、前記割り当てた文字列を表示画面に表示し、メッセージがあることを利用者に通知する一方、着信した前記サブアドレスを受信後に、自動的に通信回線の切断を行うことを特徴とする携帯情報端末。
【請求項２】
前記登録部は、前記着信したサブアドレス毎に画面に表示する前記文字列を割り当てて記録したことを特徴とする請求項１に記載の携帯情報端末。
【請求項３】
一定時間、着信音を鳴動し、一定間隔でメッセージがあることを利用者に通知することを特徴とする請求項１又は請求項２に記載の携帯情報端末。
【請求項４】
前記登録部は、前記着信したサブアドレス毎に異なる前記着信音を割り当てて記録したことを特徴とする請求項３に記載の携帯情報端末。
【発明の詳細な説明】
【技術分野】
【０００１】
本発明は、携帯情報端末に関し、特に、簡易メッセージを通知する携帯情報端末に関するものである。
【背景技術】
【０００２】
近年の携帯情報端末（以下、「携帯電話端末」と呼ぶ）は、ますます多機能になってきている。そのような多機能化に伴い携帯電話端末の利用頻度は多くなり利用料金が多くかかるようになってきている。
【０００３】
すなわち、現在の携帯電話端末において、機能の多機能化や利用頻度の増大に伴い、トータルコストの増大、利用方法の複雑化が問題となってきている。
【０００４】
そのため、利用者は、利用料金を抑えるために、コストが少なくてすむ電子メールによって連絡を行ったり、「今から帰る」等の決まったメッセージの連絡は、コール数に利用者同士で意味付けし、簡単な連絡を行う等コストを少なくするようなの対応を行ったりしている。
【０００５】
また、簡易的なメッセージを通知する方法においては下記に記載の特許文献１に開示しているような方法も知られている。
【特許文献１】特開平６−３３４７７６号公報
【発明の開示】
【発明が解決しようとする課題】
【０００６】
しかしながら、コール数を決めたり、特許文献１に開示されている方法で連絡を行ったりする場合、決められたメッセージではないため着信動作を確認しなければメッセージの受信なのか、或いは通話着信なのか判別することができないという問題点がある。
【０００７】
そこで、本発明は、上記問題点に鑑みて提案されたものであって、着サブアドレスを利用し応答すること無く切断することにより、簡潔なメッセージの送信における利用者の操作・確認・利用料金の負担を軽減することができる携帯電話端末を提供することを目的としている。
【課題を解決するための手段】
【０００８】
上記課題を解決するために、本発明に係る携帯情報端末は、以下の構成および特徴を備えている。
【０００９】
本発明に係る携帯情報端末は、サブアドレスを付加して発信する携帯情報端末であって、前記サブアドレスと文字列を関連付けて登録する登録部を備えた記憶装置と、他の前記携帯情報端末から着信した前記サブアドレスと前記登録部に記憶されている前記サブアドレスとを比較するサブアドレス検索・比較部を備えた制御装置と、を備え、前記サブアドレス検索・比較部により、前記着信した前記サブアドレスと前記登録されている前記サブアドレスとを比較し、一致していると判断した場合、前記割り当てた文字列を表示画面に表示し、メッセージがあることを利用者に通知する一方、着信した前記サブアドレスを受信後に、自動的に通信回線の切断を行うことを特徴とする。
【００１０】
また、本発明に係る携帯情報端末において、前記登録部は、前記着信したサブアドレス毎に画面に表示する前記文字列を割り当てて記録したことを特徴とする。
【００１１】
また、本発明に係る携帯情報端末は、一定時間、着信音を鳴動し、一定間隔でメッセージがあることを利用者に通知することを特徴とする。
【００１２】
また、本発明に係る携帯情報端末において、前記登録部は、前記着信したサブアドレス毎に異なる前記着信音を割り当てて記録したことを特徴とする。
【発明の効果】
【００１３】
以上説明したように、本発明の携帯情報端末によれば、前記着信した前記サブアドレスと前記登録されている前記サブアドレスとを比較して、一致していると判断した場合、前記割り当てた文字列を表示画面に表示し、メッセージがあることを利用者に通知する一方、着信した前記サブアドレスを受信後に、自動的に通信回線の切断を行うことで、送信側に応答する必要もなく、通信コストの低減を図り、定められた簡潔なメッセージを通知することが可能である。
【００１４】
また、本発明は、複数のサブアドレス毎に、メッセージを割り当てることが可能で、多数の簡潔なメッセージをユーザに通知することが可能である。
【００１５】
また、本発明は、メッセージは、文字列ばかりでなく、一定の間隔で着信音を発生して通知することも可能であり、さらに、複数の着信音を記憶することで、種々のメッセージを通知することが可能であるため、ユーザにとって、メッセージの意味を直ぐに判断することができる。
【発明を実施するための最良の形態】
【００１６】
以下、本発明に係る携帯電話端末の実施形態について、図面を参照して詳細に説明する。
【００１７】
図１は、本発明に係る携帯電話端末の構成を示すブロック図である。
【００１８】
図１に示すように、本発明に係る携帯電話端末１は、大きく分けて、携帯電話端末１の全体の制御等を行う制御装置１１と、制御装置１１の制御の下、送受信を行う無線装置１２と、アドレス帳（後記する）を記録する記録装置１３と、を備えて構成されている。
【００１９】
さらに、記録装置１３は、後述する着サブアドレスとメッセージの関連付けを記録してあるサブアドレスーメッセージ関連付け登録部１７およびアドレス帳１６を備え、制御装置１１は、記録装置１３のアドレス帳１６を検索するアドレス帳検索部１４と、後述するように、着信時にサブアドレスーメッセージ関連付け登録部１７に記録されているサブアドレスの検索及びメッセージの比較を行うサブアドレス検索・比較部１５を備えている。
【００２０】
次に、本実施形態に係る携帯電話端末１の動作について、以下に詳細に説明する。
【００２１】
図２は、発信側の携帯電話端末（ＣＳ）と着信側の携帯電話端末（ＰＳ）との送受信の手順を示すシーケンス図である。
【００２２】
携帯電話端末１は、送信側の携帯電話端末からの送信電波を無線送信装置１２により受信し、受信した着信情報は、図２に示されるようなシーケンスで処理される。
【００２３】
すなわち、図２に示すような着信手順が発信側の携帯電話端末（ＣＳ）と着信側の携帯電話端末１（ＰＳ）間で行われる。
【００２４】
携帯電話端末１は、発信側の携帯電話端末１からの着呼を受けた後、呼設定２１と呼ばれる情報を受信する。この呼設定２１により「着信」サブアドレスは、発信側の携帯電話端末１から着信側の携帯電話端末１に通知される。
【００２５】
携帯電話端末１は、着呼および呼設定２１を受信すると、制御装置１１のサブアドレス検索比較部１５は、記録装置１３のサブアドレス−メッセージ関連付け登録部１７に登録された「着信」サブアドレスと、呼設定２１に付加されている「着信」サブアドレスとの比較を行う。
【００２６】
この時、記録装置１３のサブアドレス−メッセージ関連付け登録部１７に一致する「着信」サブアドレスがない場合、或いは「着信」サブアドレスが付加されていない場合は、通常の着信を行う。
【００２７】
なお、前述の「着信」サブアドレスとメッセージは、関連付けられて、記録装置１３のサブアドレス−メッセージ関連付け登録部１７に記録される。
【００２８】
例えば、サブアドレスにメッセージを割り当てる場合、記録装置１３のサブアドレス−メッセージ関連付け登録部１７には、「着信」サブアドレス「１２３４」に対して“今から帰宅します”というメッセージを割り当て、「着信」サブアドレス「５６７８」に対して“今日は遅くなる”というメッセージを割り当てて、記録される。これらメッセージの割り当ては、あらかじめ、ユーザによって行う。
【００２９】
このように、発信者が「着信」サブアドレス「１２３４」を付加して発信を行った場合、呼設定２１に設定されている「着信」サブアドレス「１２３４」と、携帯電話端末１内の記録装置１３のサブアドレス−メッセージ関連付け登録部１７にあらかじめ設定された「着信」サブアドレス「１２３４」とが一致することになり、図３に示すように“今から帰宅します”とのメッセージを図１の構成図には図示していないが、携帯電話端末１のメッセージ表示部に表示しながら着信を行うことができる。
【００３０】
また、同様に、発信者が「着信」サブアドレス「５６７８」を付加して発信を行った場合、“今日は遅くなる”とのメッセージを表示しながら着信を行うことができる。
【００３１】
この着信後、携帯電話端末１の制御装置１１は、即座に自動的に通信回線の切断を行う。このような動作により余分なコストをかけずにメッセージを受信することが可能となる。
【００３２】
なお、メッセージを受信したユーザは、必要であれば、送信側の携帯電話端末１に呼び出しを行う。
【００３３】
また、メッセージ毎に異なる着信音を割り当てることもできメッセージ画面を見ることなく着信音の種類によりメッセージ内容を判別することが可能となる。
【００３４】
ここ近年は、携帯電話端末の多機能化が進みサブアドレスを付加して発信することが可能な携帯電話端末も増えてきている。そこで、あらかじめ、サブアドレス「１２３４」や「５６７８」などといったものを付加した番号をそれぞれ登録しておけば、登録された番号を発信することで発信者も容易にメッセージの送信を行うことが可能となる。
【００３５】
このように、携帯電話端末１は、着信したサブアドレスによりメッセージを表示することができるため、コストをかけずに容易にメッセージの送信を行うことが可能となる。
【００３６】
また、メッセージ受信者も内容を画面で確認すること無く着信時に着信音を一定時間鳴動させることにより、メッセージ内容を把握することも可能になる。
【００３７】
従って、本発明によれば、着信したサブアドレスを利用し、応答すること無く、即座に切断することにより、簡潔なメッセージの送信における利用者の操作・確認・利用料金の負担を軽減することができる。
【００３８】
以上、本発明の実施形態について説明したが、本発明の携帯電話端末は、上記の実施形態に限定されるものではなく、本発明の要旨を逸脱しない範囲内において、種々の変更を加え得ることは勿論である。
【図面の簡単な説明】
【００３９】
【図１】本発明に係る携帯電話端末の構成を示すブロック図である。
【図２】発信側の携帯電話端末（ＣＳ）と着信側の携帯電話端末（ＰＳ）との送受信の手順を示すシーケンス図である。
【図３】メッセージ表示部に表示されたメッセージ例を示す図である。
【符号の説明】
【００４０】
１    携帯電話端末
１１  制御装置
１２  無線装置
１３  記録装置
１４  アドレス帳検索部
１５  サブアドレス検索・比較部
１６  アドレス帳
１７  サブアドレスーメッセージ関連付け登録部
２１  呼設定
【図１】
2007005932.tif 000003
【図２】
2007005932.tif 000004
【図３】
2007005932.tif 000005